(57)【特許請求の範囲】
【請求項１】
伸縮自在に形成された中心支柱（３）を有し、前記中心支柱（３）を中心に放射状外方に拡開可能な控え棒（４）が前記中心支柱（３）に連結され、前記控え棒（４）によって支持されたささえ（５）と案内部材（６）とによって筒状繊維製品（２）を案内および拡開するように構成された筒形繊維製品（２）の処理のための円形幅出装置であって、
前記中心支柱（３）の第１の端部に配設された筒状繊維製品入口部材と、
前記中心支柱（３）の第２の端部に配設された筒状繊維製品出口部材と、
前記筒形繊維製品入口部材又は前記筒状繊維製品出口部材を支持する昇降装置（９）とからなり、
前記筒状繊維製品入口部材は入口部材側の第１の磁石付き部材（７）とそれを取囲んで製品案内ギャップ（１１）を形成する入口部材側の第２の磁石付き部材（１０）とからなり、
前記筒状繊維製品出口部材は出口部材側の第１の磁石付き部材（８）とそれを取囲んで製品案内ギャップ（１３）を形成する出口部材側の第２の磁石付き部材（１２）とからなり、
前記入口部材側の第１の磁石付き部材（７）と前記入口部材側の第２の磁石付き部材（１０）、および、前記出口部材側の第１の磁石付き部材（８）と前記出口部材側の第２の磁石付き部材（１２）は、同じ極性を有することを特徴とする、円形幅出装置。
【請求項２】
前記入口部材側の第１の磁石付き部材（７）と前記入口部材側の第２の磁石付き部材（１０）、および、前記出口部材側の第１の磁石付き部材（８）と前記出口部材側の第２の磁石付き部材（１２）の磁石は、永久磁石であることを特徴とする請求項１に記載の円形幅出装置。
【請求項３】
前記入口部材側の第１の磁石付き部材（７）と前記入口部材側の第２の磁石付き部材（１０）、および、前記出口部材側の第１の磁石付き部材（８）と前記出口部材側の第２の磁石付き部材（１２）の磁石は、電磁石であることを特徴とする請求項１に記載の円形幅出装置。
【請求項４】
前記入口部材側の第１の磁石付き部材（７）と前記出口部材側の第１の磁石付き部材（８）の磁石が永久磁石であり、前記入口部材側の第２の磁石付き部材（１０）と前記出口部材側の第２の磁石付き部材（１２）の磁石は電磁石であることを特徴とする請求項１に記載の円形幅出装置。
【請求項５】
製品案内ギャップ（１１、１３）を変更するために、前記入口部材側の第１の磁石付き部材（７）に対する前記入口部材側の第２の磁石付き部材（１０）の位置、および、前記出口部材側の第１の磁石付き部材（８）に対する前記出口部材側の第２の磁石付き部材（１２）の位置を変えることができることを特徴とする請求項１に記載の円形幅出装置。
【請求項６】
前記入口部材側の第１の磁石付き部材（７）と前記出口部材側の第１の磁石付き部材（８）は、製品案内ギャップ（１１、１３）の形成のために製品案内方向に延びる適当な外側輪郭を有する回転対称体であることを特徴とする請求項１に記載の円形幅出装置。
【請求項７】
前記入口部材側の第１の磁石付き部材（７）と前記出口部材側の第１の磁石付き部材（８）は、製品案内ギャップ（１１、１３）の形成のために製品案内方向に延びる適当な外側輪郭を有する楕円体であることを特徴とする請求項１に記載の円形幅出装置。
【請求項８】
前記入口部材側の第２の磁石付き部材（１０）と前記出口部材側の第２の磁石付き部材（１２）はそれぞれ、前記入口部材側の第１の磁石付き部材（７）と前記出口部材側の第１の磁石付き部材（８）の外側輪郭と同形の内側輪郭を有することを特徴とする請求項１に記載の円形幅出装置。
【請求項９】
前記入口部材側の第１の磁石付き部材（７）と前記入口部材側の第２の磁石付き部材（１０）、および、前記出口部材側の第１の磁石付き部材（８）と前記出口部材側の第２の磁石付き部材（１２）は、同じ形状を有することを特徴とする請求項１に記載の円形幅出装置。
【請求項１０】
前記入口部材側の第１の磁石付き部材（７）と前記入口部材側の第２の磁石付き部材（１０）、および、前記出口部材側の第１の磁石付き部材（８）と前記出口部材側の第２の磁石付き部材（１２）は、異なる形状を有することを特徴とする請求項１に記載の円形幅出装置。
【請求項１１】
電磁力の強さが可変であることを特徴とする請求項３に記載の円形幅出装置。
【請求項１２】
前記電磁石を有する部材と前記永久磁石を有する部材の組合せにおいて、電磁力の強さを変えることができることを特徴とする請求項４に記載の円形幅出装置。
【請求項１３】
少なくとも前記筒状繊維製品出口部材が形成するギャップ（１３）の輪郭の経過が、円形幅出装置を軸方向にも半径方向にも固定するように形成されていることを特徴とする請求項１に記載の円形幅出装置。
【発明の詳細な説明】
【０００１】
【発明の属する技術分野】
本発明は請求項１の上位概念に基づく筒形繊維製品の処理のための円形幅出装置に関する。
【０００２】
【従来の技術】
例えば丸編物の処理設備は外部から保持された少なくとも１個のいわゆる円形幅出装置を装備する。円形幅出装置は丸編物を内側から例えば三角形又はほぼ円形に広げる。この拡張された形の丸編物は円形幅出装置の適当な案内部材によって案内される。
【０００３】
ドイツ国特許第２９３５３７４号明細書で公知の円形幅出装置は、一方では入口部材と幅出装置を支持する第１の支持部材との間、他方では出口部材と幅出装置を支持する第２の支持部材との間に円形幅出装置を僅かな表面圧力で浮遊状態に保持するために、中心支柱の両端にそれぞれ入口部材又は出口部材として縦方向に縮小する胴体を有する。縮小する胴体の形状に順応して胴体の一部を取囲む支持部材が、入口部材にも出口部材にも配設されている。支持部材は幅出装置をささえる流動媒体のための出口を装備する。この出口は周囲に配分されており、製品案内ギャップとして形成された入口部材又は出口部材側の間隙に接続する。十分に大きな製品案内ギャップを形成しかつ維持しつつ幅出装置を浮遊状態に保持するには、技術的手段のための比較的高額な費用が必要であり、共同で作用する胴体と支持部材の間に表面圧力を生じさせないために比較的大出力の圧力発生ポンプが必要であり、最後に流動圧力媒質は製品案内ギャップの区域で筒形製品自体を貫通しなければならないので、搬出される筒形製品の構造に損傷を残す恐れがある。
【０００４】
【発明が解決しようとする課題】
本発明の根底にあるのは、製品の連続的通過の際に円形幅出装置の入口区域でも出口区域でも表面圧力が排除され、その結果筒形製品の構造が無傷であるように、公知の種類の円形幅出装置を改良する課題である。
【０００５】
【課題を解決するための手段及び発明の効果】
この課題は、本発明に基づき少なくとも１個の筒形製品入口部材も少なくとも１個の筒形製品出口部材も第１の磁石付き部材であり、第２の磁石付き部材が筒形製品入口部材を取囲んで製品案内ギャップを形成し、第２の磁石付き部材が筒形製品出口部材を取囲んで製品案内ギャップを形成し、筒形製品入口及び出口部材の磁石と筒形製品入口及び出口部材を取囲む部材の磁石が同じ極性を有することによって解決される。
【０００６】
同じ符号の磁極は反発し合うことに基づき、一方では磁石付きの筒形製品入口部材と入口部材を取囲む磁石付き部材との間、他方では磁石付きの筒形製品出口部材と出口部材を取囲む磁石付き部材との間に空隙が生じる。この空隙に筒形製品を自由に引き通すことができる。
【０００７】
発明の別の実施形態では上記の部材が装備する磁石は永久磁石又は電磁石である。例えば入口及び出口部材が永久磁石を備え、入口及び出口部材を取囲む部材が電磁石を備えることが考えられる。
【０００８】
個々の部材の磁石が部材の一体の構成部分であり、もしくは個々の部材自体が磁性又は磁化可能材料からなり又は電磁石として形成することができる。
【０００９】
異なる材料厚さの筒形製品を処理するために、入口側及び出口側製品案内ギャップの幅を調整することが好ましい。この目的のために、入口及び出口部材を取囲む部材は少なくとも第１のほぼセグメント状に形成されたリング片及び第２のほぼセグメント状に形成されたリング片からなる。各リング片は適当な調整手段と連動する。
【００１０】
処理される筒形製品の種類に応じて、前述のように製品案内ギャップの幅を調整することができる。製品案内ギャップの幅を変えるには、永久磁石が十分に強いか又は磁力の強さが可変であることが必要である。このことは発明の別の実施形態で少なくとも入口及び出口部材を取囲む部材の磁石が電磁石であり、その磁界強度が可変であることによって達成される。
【００１１】
本発明に基づく解決策によって、液状又はガス状処理剤のいずれせよ処理工程で幅出しされる丸編物が円形幅出装置の入口及び出口区域で構造に損傷をこうむらないようにすることができる。
【００１２】
次に実施例に基づき発明を詳述する。
【００１３】
【発明の実施の形態】
図１及び２によれば円形幅出装置１は筒形製品２の入口側に円錐台形の入口部材７を有する。図１及び３によれば円形幅出装置１は筒形製品２の入口側に楕円形の入口部材７ａを有する。筒形製品２の出口側では出口部材８が中心支柱３と連結されている。この場合出口部材８は例えば２個の互いに連結された円錐台体又は楕円体からなる。円形幅出装置の製品入口側にある円錐台形端片７に同じ極性の磁石が組込まれている。円錐台形端片７は少なくとも１個の第１及び第２の半環形セグメント１０によって取囲まれ（図２も参照）、製品案内ギャップ１１を形成する。２つの半環形セグメント１０は磁石付き部材を形成する。磁石付き部材は円錐台形又は楕円形端片の片われとして、共同で円錐台形の通路を作る。磁石付き部材１０の磁石は同じ極性を有する。円形幅出装置の製品出口側にある出口部材８に同じ極性の磁石が組込まれている。出口部材８は少なくとも１個の第１及び第２の半環状体１２によって半径方向に取囲まれ、製品案内ギャップ１３を形成する。製品案内ギャップ１３の内側輪郭は出口部材８の外側輪郭に対してほぼ同形に形成されている。半環状体１２は同じ極性の磁石を装備する。
【００１４】
製品案内ギャップ１３も調整できるようにする場合は、半環状に形成された２つの胴体１２を適当な手段によりここに図示しない調整装置と連結する。
【００１５】
円形幅出装置１の構造は周知であるから、ここで詳しく触れる必要はない。
【００１６】
円形幅出装置１は半径方向調整のためにそれ自体公知の昇降装置９と連結されている。本例では環状に形成された胴体１２が昇降装置９と円形幅出装置１との連結手段をなす。
【図面の簡単な説明】
【図１】製品入口側及び製品出口側磁石部材を有する円形幅出装置の図である。
【図２】回転対称な構造の製品入口側磁石部材のＡ−Ａ線による断面図である。
【図３】楕円形構造の製品入口側磁石部材のＡ−Ａ線による断面図である。
【符号の説明】
１  円形幅出装置
２  筒形繊維製品、丸編物
３  支柱
４  控え棒
５  ささえ
６  案内部材
７  入口部材
８  出口部材
９  昇降装置
１０  磁石付き部材
１１  製品案内ギャップ
１２  磁石付き部材
１３  製品案内ギャップ
【図１】
0003776396.tif 000002
【図２】
0003776396.tif 000003
【図３】
0003776396.tif 000004